(57)【要約】【課題】    油分離を容易にしたグリーストラップを提供する。【解決手段】    グリーストラップＡは、処理槽１内を第１の仕切り板２及び第２の仕切り板３により３室に仕切られ、該３室は、排水流れに沿って、順次、排水を受け入れる受け入れ部Ｘ、油脂分を比重差により分離する油脂浮上部Ｙ、油脂分を分離した排水を貯留する貯留部Ｚとなっており、貯留部Ｚ内の排水を処理槽１の外へ導く排水通路４と、処理槽１内に排水を導く通路壁１ａに取り付けられ、受け入れ部Ｘに受け入れられた排水の上面より上方に張り出すように位置し、排水用の穴５１を複数有する支持部材５と、支持部材５に支持され、処理槽１内に導入される排水を受け入れ、前記排水中のゴミを収集する排水ネット６と、受け入れ部Ｘの排水の表面に浮いて油を吸着する第１の油吸着材７と、油脂浮上部Ｙの排水の表面に浮いて油を吸着する第２の油吸着材８とを備えている。【選択図】    図１
0003119217.tif 000002
【実用新案登録請求の範囲】
【請求項１】
処理槽内を第１の仕切り板及び第２の仕切り板により３室に仕切られ、該３室は、排水流れに沿って、順次、排水を受け入れる受け入れ部、油脂分を比重差により分離する油脂浮上部、油脂分を分離した排水を貯留する貯留部となっており、
前記貯留部内の排水を前記処理槽の外へ導く排水通路と、
前記処理槽内に排水を導く通路壁に取り付けられ、前記受け入れ部に受け入れられた排水の上面より上方に張り出すように位置し、排水用の穴を複数有する支持部材と、
前記支持部材に支持され、前記処理槽内に導入される排水を受け入れ、前記排水中のゴミを収集する排水ネットと、
前記受け入れ部の排水の表面に浮いて油を吸着する第１の油吸着材と、
前記油脂浮上部の排水の表面に浮いて油を吸着する第２の油吸着材とを備え  、
前記排水ネット、前記支持部材の複数の前記排水用の穴により前記処理槽内に導かれる排水の動圧力を低減させて前記排水を前記受け入れ部に導き、前記受け入れ部で浮上した油脂を前記第１の油吸着材で、前記油脂浮上部で浮上した油を前記第２の油吸着材で、それぞれ吸着させることを特徴とするグリーストラップ。
【請求項２】
支持部材は、排水ネットを支持する底部と、この底部の周囲に設けられた立ち上がり壁とを有し、排水用の穴は、少なくとも、前記底部に設けられ、
第１の油吸着材及び第２の油吸着材は、ワックスが含浸された古紙を綿状に解きほぐしたもの又は、ワックスが含浸された古紙を綿状に解きほぐしたものをネット製の袋体に収納していることを特徴とする請求項１記載のグリーストラップ。
【請求項３】
処理槽内を仕切り板により２室に仕切られ、該２室は、排水流れに沿って、順次、排水を受け入れ、油脂分を比重差により分離する油脂浮上部、油脂分を分離した排水を貯留する貯留部となっており、
前記貯留部内の排水を前記処理槽の外へ導く排水通路と、
前記処理槽内に排水を導く通路壁に取り付けられ、前記油脂浮上部に受け入れられた排水の上面より上方に張り出すように位置し、排水用の穴を複数有する支持部材と、
前記支持部材に支持され、前記処理槽内に導入される排水を受け入れ、前記排水中のゴミを収集する排水ネットと、
前記油脂浮上部の排水の表面に浮いて位置する油吸着材とを備え、
前記排水ネット、前記支持部材の複数の前記排水用の穴により前記処理槽内に導かれる排水の動圧力を低減させて前記排水を前記油脂浮上部に導き、前記油脂浮上部で浮上した油脂を前記油吸着材で吸着させることを特徴とするグリーストラップ。
【請求項４】
支持部材は、排水ネットを支持する底部と、この底部の周囲に設けられた立ち上がり壁とを有し、排水用の穴は、少なくとも、前記底部に設けられ、
油吸着材は、ワックスが含浸された古紙を綿状に解きほぐしたもの又は、ワックスが含浸された古紙を綿状に解きほぐしたものをネット製の袋体に収納していることを特徴とする請求項３記載のグリーストラップ。
【考案の詳細な説明】
【技術分野】
【０００１】
本考案は、グリーストラップに係り、特に、油分離を容易にしたグリーストラップに関する。
【背景技術】
【０００２】
従来、グリーストラップにおいては、処理槽内を第１の仕切り板及び第２の仕切り板により３室に仕切られ、該３室は、排水流れに沿って、排水を受け入れる受け入れ部、油脂分を比重差により分離する油脂浮上部、油脂分を分離した排水を貯留する貯留部となっている（例えば、特許文献１参照）。
しかしながら、従来のグリーストラップにあっては、処理槽内への排水は、直接、グリーストラップ内に流れ込むため、受け入れ部においては、排水が攪拌され、比重差による油分離が起こりにくく、油分離を良好に行えないという問題点があった。
【特許文献１】特公平７−９４７４５号公報（図１）
【考案の開示】
【考案が解決しようとする課題】
【０００３】
本考案は、前記した問題点を除去するようにしたグリーストラップを提供することを目的としている。
【課題を解決するための手段】
【０００４】
前記した目的を達成するための請求項１記載のグリーストラップは、処理槽内を第１の仕切り板及び第２の仕切り板により３室に仕切られ、該３室は、排水流れに沿って、順次、排水を受け入れる受け入れ部、油脂分を比重差により分離する油脂浮上部、油脂分を分離した排水を貯留する貯留部となっており、前記貯留部内の排水を前記処理槽の外へ導く排水通路と、前記処理槽内に排水を導く通路壁に取り付けられ、前記受け入れ部に受け入れられた排水の上面より上方に張り出すように位置し、排水用の穴を複数有する支持部材と、前記支持部材に支持され、前記処理槽内に導入される排水を受け入れ、前記排水中のゴミを収集する排水ネットと、前記受け入れ部の排水の表面に浮いて油を吸着する第１の油吸着材と、前記油脂浮上部の排水の表面に浮いて油を吸着する第２の油吸着材とを備え、前記排水ネット、前記支持部材の複数の前記排水用の穴により前記処理槽内に導かれる排水の動圧力を低減させて前記排水を前記受け入れ部に導き、前記受け入れ部で浮上した油脂を前記第１の油吸着材で、前記油脂浮上部で浮上した油を前記第２の油吸着材で、それぞれ吸着させるものである。
【０００５】
また、請求項２記載のグリーストラップは、請求項１記載のグリーストラップにおいて、支持部材は、排水ネットを支持する底部と、この底部の周囲に設けられた立ち上がり壁とを有し、排水用の穴は、少なくとも、前記底部に設けられ、
第１の油吸着材及び第２の油吸着材は、ワックスが含浸された古紙を綿状に解きほぐしたもの又は、ワックスが含浸された古紙を綿状に解きほぐしたものをネット製の袋体に収納しているものである。
【０００６】
また、請求項３記載のグリーストラップは、処理槽内を仕切り板により２室に仕切られ、該２室は、排水流れに沿って、順次、排水を受け入れ、油脂分を比重差により分離する油脂浮上部、油脂分を分離した排水を貯留する貯留部となっており、前記貯留部内の排水を前記処理槽の外へ導く排水通路と、前記処理槽内に排水を導く通路壁に取り付けられ、前記油脂浮上部に受け入れられた排水の上面より上方に張り出すように位置し、排水用の穴を複数有する支持部材と、前記支持部材に支持され、前記処理槽内に導入される排水を受け入れ、前記排水中のゴミを収集する排水ネットと、前記油脂浮上部の排水の表面に浮いて位置する油吸着材とを備え、前記排水ネット、前記支持部材の複数の前記排水用の穴により前記処理槽内に導かれる排水の動圧力を低減させて前記排水を前記油脂浮上部に導き、前記油脂浮上部で浮上した油脂を前記油吸着材で吸着させるものである。  
【０００７】
また、請求項４記載のグリーストラップは、請求項３記載のグリーストラップにおいて、支持部材は、排水ネットを支持する底部と、この底部の周囲に設けられた立ち上がり壁とを有し、排水用の穴は、少なくとも、前記底部に設けられ  、油吸着材は、ワックスが含浸された古紙を綿状に解きほぐしたもの又は、ワックスが含浸された古紙を綿状に解きほぐしたものをネット製の袋体に収納しているものである。
【考案の効果】
【０００８】
請求項１記載のグリーストラップによれば、排水ネット、この排水ネットを支持する支持部材の複数の排水用の穴により処理槽内に導かれる排水の動圧力を低減させて排水を受け入れ部に導くため、受け入れ部においても、比重差により油が浮上するため、第１の油吸着材により油を吸着でき、しかも、油脂浮上部においても、比重差により油が浮上するため、第２の油吸着材により油を吸着でき、更に、排水中のゴミを収集する排水ネットは、受け入れ部に受け入れられた排水の上面より上方に張り出すように位置した支持部材に支持されているため、水切りされ、腐敗も少なく排水ネットの処理の使用勝手をも向上させることができる。
【０００９】
また、請求項２記載のグリーストラップによれば、上述した請求項１記載の考案に加え、支持部材に設けられた立ち上がり壁により、排水の動圧力を低減させることができ、しかも、第１の油吸着材及び第２の油吸着材は、ワックスが含浸された古紙を綿状に解きほぐしたもの又は、ワックスが含浸された古紙を綿状に解きほぐしたものをネット製の袋体に収納しているため、解繊されたワックスが含浸された古紙により、油を吸着でき、特に、ワックスが含浸された古紙を綿状に解きほぐしたものをネット製の袋体に収納しているものにあっては、綿状に解きほぐされた古紙がバラバラになることを防いで油を吸着するため、廃棄の使用勝手をも向上させることができる。
なお、ワックスが含浸された古紙は、リサイクルできず、焼却するしかないと共に、ワックスが含浸された古紙を綿状に解きほぐしたものは、水を吸わず油を吸着するため、グリーストラップの油吸着材として極めて好適である。
【００１０】
また、請求項３記載のグリーストラップによれば、排水ネット、この排水ネットを支持する支持部材の複数の排水用の穴により処理槽内に導かれる排水の動圧力を低減させて排水を油脂浮上部に導くため、排水を直接「油脂分を比重差により分離する油脂浮上部」に導いても、油脂分の比重差による分離に支障がなく、従来グリーストラップで生じていた油脂浮上部の前に位置する室をも、油脂浮上部とすることができ、油脂分を比重差により「より多くの油脂分」を浮上させて分離することができ、しかも、排水中のゴミを収集する排水ネットは、油脂浮上部に受け入れられた排水の上面より上方に張り出すように位置した支持部材に支持されているため、水切りされ、腐敗も少なく排水ネットの処理の使用勝手を向上させることができる。
【００１１】
また、請求項４記載のグリーストラップによれば、上述した請求項３記載の考案に加え、支持部材に設けられた立ち上がり壁により、排水の動圧力を低減させることができ、しかも、油吸着材は、ワックスが含浸された古紙を綿状に解きほぐしたもの又は、ワックスが含浸された古紙を綿状に解きほぐしたものをネット製の袋体に収納しているため、解繊されたワックスが含浸された古紙により、油を吸着でき、特に、ワックスが含浸された古紙を綿状に解きほぐしたものをネット製の袋体に収納しているものにあっては、綿状に解きほぐされた古紙がバラバラになることを防いで油を吸着するため、廃棄の使用勝手をも向上させることができる。
なお、ワックスが含浸された古紙は、リサイクルできず、焼却するしかないと共に、ワックスが含浸された古紙を綿状に解きほぐしたものは、水を吸わず油を吸着するため、グリーストラップの油吸着材として極めて好適である。
【考案を実施するための最良の形態】
【００１２】
本考案の一実施例のグリーストラップを図面を参照して説明する。
図１乃至図５において、Ａは排水を貯留して排水から油を分離することができるグリーストラップで、グリーストラップＡは、処理槽１内を第１の仕切り板２及び第２の仕切り板３により３室に仕切られ、該３室は、排水流れに沿って、順次、排水を受け入れる受け入れ部Ｘ、油脂分を比重差により分離する油脂浮上部Ｙ、油脂分を分離した排水を貯留する貯留部Ｚとなっている。
【００１３】
４は、貯留部Ｚ内の排水を処理槽１の外へ導く排水通路である。５は、処理槽１内に排水を導く通路壁１ａに取り付けられ、受け入れ部Ｘに受け入れられた排水の上面より上方に張り出すように位置した支持部材で、支持部材５は、排水用の穴５１を複数有している。また、支持部材５は、図３に示すように、排水ネット６を支持する底部５２と、この底部５２の周囲に設けられた立ち上がり壁５３とを有し、排水用の穴５１は、底部５２及び立ち上がり壁５３に設けているが、少なくとも、底部に５２に設けていれば良い。
６は、図２及び図３に示すように、支持部材５に支持された排水ネットで、排水ネット６は、処理槽１内に導入される排水を受け入れ、排水中のゴミ６１を収集するものである。
【００１４】
図１、図４及び図５に示す７は受け入れ部Ｘの排水の表面に浮いて油を吸着する第１の油吸着材で、８は油脂浮上部Ｙの排水の表面に浮いて油を吸着する第２の油吸着材で、第１の油吸着材７及び第２の油吸着材８は、例えば、図４及び図５に示すように、ワックスが含浸された古紙を綿状に解きほぐしたもの７１（８１）をネット製の袋体７２（８２）に収納しているものである。なお、ワックスが含浸された古紙を綿状に解きほぐしたもの７１（８１）をネット製の袋体７２（８２）に収納せず、ワックスが含浸された古紙を綿状に解きほぐしたもの７２（８２）をバラバラに使用しても、解繊されたワックスが含浸された古紙により、油を吸着することができる。特に、第１の油吸着材７及び第２の油吸着材８として、「ワックスが含浸された古紙を綿状に解きほぐしたもの７１（８１）をネット製の袋体７２（８２）に収納している」ものを使用すれば、綿状に解きほぐされた古紙がバラバラになることを防いで油を吸着するため、廃棄の使用勝手をも向上させることができる。また、図１の９、１０、１１は、処理槽１の開口部を開閉する開閉蓋である。なお、ワックスが含浸された古紙は、リサイクルできず、焼却するしかないと共に、ワックスが含浸された古紙を綿状に解きほぐしたものは、水を吸わず油を吸着するため、グリーストラップの油吸着材として極めて好適である。
【００１５】
従って、排水は、排水ネット６、この排水ネット６を支持する支持部材５の複数の排水用の穴５１により処理槽１内に導かれる。排水ネット６、立ち上がり壁５３、複数の排水用の穴５１により、排水の動圧力は低減されて受け入れ部Ｘに導かれる。その結果、受け入れ部Ｘにおいても、比重差により油が効率良く浮上するため、第１の油吸着材７により油を吸着でき、しかも、第１の仕切り板２を通過した排水中の油は、油脂浮上部Ｙにおいて、比重差により効率良く浮上するため、第２の油吸着材８により油を吸着できる。そして、第２の仕切り板３を通過した排水は、貯留部Ｚに導かれ、排水通路４を介して処理槽１の外へと導かれる。
なお、特に、排水ネット６は、図１及び図２に示すように、受け入れ部Ｘに受け入れられた排水の上面より上方に張り出すように位置した支持部材５に支持されているため、水切りされ、腐敗も少なく排水ネット６の処理の使用勝手をも向上させることができる。
【００１６】
上述した実施例のグリーストラップＡにおいては、処理槽１内を第１の仕切り板２及び第２の仕切り板３により３室に仕切られ、該３室は、排水流れに沿って、順次、排水を受け入れる受け入れ部Ｘ、油脂分を比重差により分離する油脂浮上部Ｙ、油脂分を分離した排水を貯留する貯留部Ｚとしたが、本考案にあっては、これに限らず、図６に示すように第１の仕切り板２を省略して、処理槽１内を仕切り板３により２室に仕切られ、該２室は、排水流れに沿って、順次、排水を受け入れ、油脂分を比重差により分離する油脂浮上部Ｙ、油脂分を分離した排水を貯留する貯留部Ｚとなるようにしても良い。
かかる場合、支持部材５（図６記載の支持部材５は、図３の記載の支持部材５と同様である。）は、処理槽１内に排水を導く通路壁１ａに取り付けられ、油脂浮上部Ｙに受け入れられた排水の上面より上方に張り出すように位置することとなる。
【００１７】
図６記載のグリーストラップＡによれば、排水ネット６、立ち上がり壁５３、排水ネット６を支持する支持部材５の複数の排水用の穴５１により処理槽１内に導かれる排水の動圧力を低減させて排水を油脂浮上部Ｙに導くため、排水を直接「油脂分を比重差により分離する油脂浮上部Ｙ」に導いても、油脂分の比重差による分離に支障がなく、従来グリーストラップで生じていた油脂浮上部Ｙの前に位置する室（例えば、前述の実施例で言えば、受け入れ部Ｘをも、油脂浮上部とすることができ、油脂分を比重差により「より多くの油脂分」を浮上させて分離することができ、しかも、排水中のゴミを収集する排水ネット６は、油脂浮上部Ｙの上に張り出した支持部材５に支持されているため、水切りされ、腐敗も少なく排水ネット６の処理の使用勝手をも向上させることができる。
【図面の簡単な説明】
【００１８】
【図１】図１は、本考案の一実施例であるグリーストラップの概略的断面図である。
【図２】図２は、図１の一部を拡大して示す概略的一部拡大断面図である。
【図３】図３は、図１の一部を拡大して示す概略的一部拡大斜視図である。
【図４】図４は、図１の第１の油吸着材（第２の油吸着材）の概略的斜視図である。
【図５】図５は、図４の第１の油吸着材（第２の油吸着材）のネット製の袋体に収納されているワックスが含浸された古紙を綿状に解きほぐしたものの概略的斜視図である。
【図６】図６は、図１のグリーストラップと異なる他の実施例の概略的断面図である  。
【符号の説明】
【００１９】
Ａ    …………グリーストラップ
１    …………処理槽
２    …………第１の仕切り板
３    …………第２の仕切り板
Ｘ    …………受け入れ部
Ｙ    …………油脂浮上部
Ｚ    …………貯留部
４    …………排水通路
５    …………支持部材
６    …………排水ネット
７    …………第１の油吸着材
８    …………第２の油吸着材
【図１】
0003119217.tif 000003
【図２】
0003119217.tif 000004
【図３】
0003119217.tif 000005
【図４】
0003119217.tif 000006
【図５】
0003119217.tif 000007
【図６】
0003119217.tif 000008